(57)【要約】【課題】洗浄消毒用の薬液の種類を識別でき、薬液の種類に応じた適切な洗浄消毒処理が可能な血液浄化装置を提供する。【解決手段】血液浄化器を介して血液浄化治療を行う血液浄化装置１であって、配管３と、配管３に設けられると共に、検出方式が異なる複数のセンサ４と、複数のセンサ４を用いて、配管３に流通されている洗浄消毒用の薬液の種類を識別する薬液識別部８１と、を備え、薬液識別部８１は、複数のセンサ４を用いて、少なくとも複数のセンサ４の個数以上の種類の薬液を識別可能に構成されている。【選択図】図２
2020192289.tif 000002
【特許請求の範囲】
【請求項１】
血液浄化器を介して血液浄化治療を行う血液浄化装置であって、
配管と、
前記配管に設けられると共に、検出方式が異なる複数のセンサと、
前記複数のセンサを用いて、前記配管に流通されている洗浄消毒用の薬液の種類を識別する薬液識別部と、を備え、
前記薬液識別部は、前記複数のセンサを用いて、少なくとも前記複数のセンサの個数以上の種類の前記薬液を識別可能に構成されている、
血液浄化装置。
【請求項２】
前記薬液識別部は、洗浄消毒において使用されるべき薬液の種類に応じて、前記複数のセンサの全部又は一部を選択し、選択した全部又は一部のセンサの検出結果に基づき、当該洗浄消毒において使用されるべき薬液であるか否かを識別する、
請求項１に記載の血液浄化装置。
【請求項３】
前記薬液識別部は、前記複数のセンサの各検出結果の組み合わせに基づき、前記複数のセンサの個数より多い種類の前記薬液を識別可能に構成されている、
請求項１または２に記載の血液浄化装置。
【請求項４】
前記配管の洗浄消毒時に、前記複数のセンサのうち少なくとも１つのセンサの検出結果を基に、前記配管内に洗浄消毒用の前記薬液が満たされたかを検出する洗浄消毒制御部を備えた、
請求項１乃至３の何れか１項に記載の血液浄化装置。
【請求項５】
前記洗浄消毒制御部は、前記複数のセンサのうち少なくとも１つのセンサの検出結果を基に、前記配管内の透析液または前記薬液が透析用水に置換されたかを検出可能に構成されている、
請求項４に記載の血液浄化装置。
【請求項６】
前記複数のセンサは、
前記配管を流通する液体の電導度を測定する電導度センサと、
前記配管を流通する液体による紫外光の吸収度を測定する吸光度センサと、を含む、
請求項１乃至５の何れか１項に記載の血液浄化装置。
【請求項７】
前記薬液識別部は、前記薬液の種類毎に設定された前記電導度センサの検出値用の閾値、及び前記吸光度センサの検出値用の閾値と、前記電導度センサ及び前記吸光度センサの検出値とを比較することで、前記薬液の種類を識別する、
請求項６に記載の血液浄化装置。
【発明の詳細な説明】
【技術分野】
【０００１】
本発明は、血液浄化装置に関する。
【背景技術】
【０００２】
血液浄化装置では、血液浄化治療後に、内部の配管を洗浄消毒する洗浄消毒処理が行われる。洗浄消毒処理では、配管内に洗浄消毒用の薬液を導入し、配管内の洗浄消毒を行う（例えば、特許文献１参照。）。
【先行技術文献】
【特許文献】
【０００３】
【特許文献１】特開２０１４−０９７１９７号公報
【発明の概要】
【発明が解決しようとする課題】
【０００４】
洗浄消毒処理では、配管内の汚れ具合や装置の使用頻度等に応じて、異なる薬液が使用される。使用する薬液が異なると、洗浄消毒にかかる時間や制御内容等が異なるため、例えば誤った薬液を使用した場合には、洗浄消毒が過度に行われて薬液が無駄になったり、洗浄消毒が十分に行われずその後の治療に悪影響を及ぼしたりするおそれがある。
【０００５】
例えば、外部装置から薬液が導入される血液浄化装置では、外部装置から使用する薬液の種類を通信等により受信することが考えられる。しかし、このような場合であっても、より安全性を高めるために、各血液浄化装置で実際に供給された薬液の種類を識別し、正しい薬液が供給されているかを判別することが望まれる。
【０００６】
そこで、本発明は、洗浄消毒用の薬液の種類を識別でき、薬液の種類に応じた適切な洗浄消毒処理が可能な血液浄化装置を提供することを目的とする。
【課題を解決するための手段】
【０００７】
上記課題を解決することを目的として、請求項１に係る発明は、血液浄化器を介して血液浄化治療を行う血液浄化装置であって、配管と、前記配管に設けられると共に、検出方式が異なる複数のセンサと、前記複数のセンサを用いて、前記配管に流通されている洗浄消毒用の薬液の種類を識別する薬液識別部と、を備え、前記薬液識別部は、前記複数のセンサを用いて、少なくとも前記複数のセンサの個数以上の種類の前記薬液を識別可能に構成されている、血液浄化装置を提供する。
【０００８】
請求項２に係る発明は、前記薬液識別部は、洗浄消毒において使用されるべき薬液の種類に応じて、前記複数のセンサの全部又は一部を選択し、選択した全部又は一部のセンサの検出結果に基づき、当該洗浄消毒において使用されるべき薬液であるか否かを識別する、請求項１に記載の血液浄化装置である。
【０００９】
請求項３に係る発明は、前記薬液識別部は、前記複数のセンサの各検出結果の組み合わせに基づき、前記複数のセンサの個数より多い種類の前記薬液を識別可能に構成されている、請求項１または２に記載の血液浄化装置である。
【００１０】
請求項４に係る発明は、前記配管の洗浄消毒時に、前記複数のセンサのうち少なくとも１つのセンサの検出結果を基に、前記配管内に洗浄消毒用の前記薬液が満たされたかを検出する洗浄消毒制御部を備えた、請求項１乃至３の何れか１項に記載の血液浄化装置である。
【００１１】
請求項５に係る発明は、前記洗浄消毒制御部は、前記複数のセンサのうち少なくとも１つのセンサの検出結果を基に、前記配管内の透析液または前記薬液が透析用水に置換されたかを検出可能に構成されている、請求項４に記載の血液浄化装置である。
【００１２】
請求項６に係る発明は、前記複数のセンサは、前記配管を流通する液体の電導度を測定する電導度センサと、前記配管を流通する液体による紫外光の吸収度を測定する吸光度センサと、を含む、請求項１乃至５の何れか１項に記載の血液浄化装置である。
【００１３】
請求項７に係る発明は、前記薬液識別部は、前記薬液の種類毎に設定された前記電導度センサの検出値用の閾値、及び前記吸光度センサの検出値用の閾値と、前記電導度センサ及び前記吸光度センサの検出値とを比較することで、前記薬液の種類を識別する、請求項６に記載の血液浄化装置である。
【発明の効果】
【００１４】
請求項１，３に係る発明によれば、洗浄消毒用の薬液の種類を識別でき、薬液の種類に応じた適切な洗浄消毒処理を行うことが可能になる。
【００１５】
請求項２に係る発明によれば、現在使用されている薬液が、洗浄消毒において使用されるべき薬液であるか否かを識別できる。
【００１６】
請求項４に係る発明によれば、配管内に洗浄消毒用の薬液が満たされたかを検出し、適切な洗浄消毒処理を行うことが可能になる。
【００１７】
請求項５に係る発明によれば、前洗浄時に透析液が残って洗浄消毒が十分に行われなかったり、あるいは後洗浄時に薬液が残留して血液浄化治療に不具合が生じたりすることを抑制できる。
【００１８】
請求項６に係る発明によれば、電導度及び吸光度を各々のセンサが検出するため、異なる組成の薬液を検出可能であり、洗浄消毒用の薬液の種類をより多く識別することが可能である。
【００１９】
請求項７に係る発明によれば、洗浄消毒処理に用いられている代表的な薬液である酸洗浄液、過酢酸系消毒液、及び次亜系消毒液を識別できる。
【図面の簡単な説明】
【００２０】
【図１】本発明の一実施の形態に係る血液浄化装置を用いた血液浄化システムの概略構成図である。
【図２】血液浄化装置の概略構成図である。
【図３】（ａ）は洗浄・殺菌処理のフロー図であり、（ｂ）は（ａ）のステップＳ２におけるフロー図である。
【発明を実施するための形態】
【００２１】
［実施の形態］
以下、本発明の実施の形態を添付図面にしたがって説明する。
【００２２】
図１は、本実施の形態に係る血液浄化装置を用いた血液浄化システムの概略構成図である。図１に示されるように、血液浄化システム１０は、透析液供給装置１１と、複数の血液浄化装置１と、を備えている。
【００２３】
透析液供給装置１１は、図示しない水処理装置から供給された透析用水と、図示しない溶解装置から供給された透析液原液とを用いて、所定濃度の透析液を調製し、調製した透析液を各血液浄化装置１に供給する。透析液供給装置１１で調製された透析液は、透析液供給ライン１２を介して各血液浄化装置１に供給される。
【００２４】
血液浄化装置１は、患者に血液浄化治療（透析治療）を施すための血液浄化器（ダイアライザ、不図示）が取り付けられ、透析液供給装置１１から供給された透析液を各血液浄化器に供給する。血液浄化装置１の詳細については後述する。
【００２５】
血液浄化システム１０では、信号線１３を介して、透析液供給装置１１と各血液浄化装置１とが通信可能に構成されている。透析液供給装置１１では、各血液浄化装置１の稼働状況の検知や、各血液浄化装置１の制御が可能となっている。なお、透析液供給装置１１と各血液浄化装置１間の通信形態はこれに限定されず、例えば有線通信ではなく無線通信であってもよい。
【００２６】
血液浄化システム１０では、血液浄化治療の後に、配管内を洗浄消毒する洗浄消毒処理が行われる。なお、ここでいう洗浄消毒処理とは、洗浄のみを行う場合、消毒のみを行う場合、及び、洗浄と消毒の両方を行う場合を含んでいる。洗浄消毒処理を行う際には、透析液供給装置１１にて、洗浄消毒に用いる薬液の調製が行われ、調製された薬液が、透析液供給ライン１２を介して各血液浄化装置１に供給される。また、透析液供給装置１１では、洗浄消毒処理時に、使用する薬液の種類等を各血液浄化装置１に通知する機能を有している。作業者が、透析液供給装置１１にて洗浄消毒処理を開始する操作を行えば、透析液供給装置１１に予め設定されたプログラムに従って、透析液供給装置１１及び各血液浄化装置１にて自動で洗浄消毒処理が行われる。
【００２７】
（血液浄化装置１）
図２は、血液浄化装置１の概略構成図である。なお、図２では、洗浄消毒時における配管構成を模式的に表している。図２に示すように、血液浄化装置１は、図示しない血液浄化器が接続される一対のコネクタ２ａ，２ｂを有しているが、洗浄消毒時には両コネクタ２ａ，２ｂはバイパスコネクタ２ｃを介して連結される。
【００２８】
血液浄化装置１の内部の配管３は、透析液供給ライン１２が接続される液供給口３ａと一方のコネクタ２ａとを含む供給側流路３１と、他方のコネクタ２ｂと液排出口３ｂとを含む排出側流路３２と、を有している。
【００２９】
また、血液浄化装置１は、血液浄化器への液供給量と、血液浄化器からの液排出量とが機械的に同等となるように構成された複式ポンプ５を有している。本実施の形態では、この複式ポンプ５を、配管３内を流通する液の流量を制御するために用いる。また、排出側流路３２において複式ポンプ５をバイパスするように除水流路３３が設けられており、この除水流路３３に、血液からの除水量を制御するための除水ポンプ６が設けられている。また、供給側流路３１には、液の供給を遮断可能な電磁弁からなる給液弁７が設けられている。なお、図２の構成図は簡略化して示してあり、各部をバイパスする流路や電磁弁、フィルタユニット、液圧を測定する圧力センサ、液温を測定する温度センサ等を適宜備えていてもよい。
【００３０】
また、血液浄化装置１は、複式ポンプ５、除水ポンプ６、給液弁７等の制御を行う制御装置８を備えている。制御装置８は、血液浄化治療時や洗浄消毒時において、各部の制御を行うものである。
【００３１】
本実施の形態に係る血液浄化装置１では、その内部の配管３に設けられた異なる検出方式の複数のセンサ４と、複数のセンサ４を用いて、配管３に流通されている洗浄消毒用の薬液の種類を識別する薬液識別部８１と、を備えている。
【００３２】
複数のセンサ４は、配管３に設けられ、配管３内に洗浄消毒用の薬液が流通されていることを検出可能に設けられている。本実施の形態では、これら複数のセンサ４を、洗浄消毒用の薬液の種類を判別するために用いる。本実施の形態では、複数のセンサ４として、配管３を流通する液体の電導度を測定する電導度センサ４１と、配管３を流通する液体による２８０ｎｍ帯の紫外光の吸収度を測定する吸光度センサ４２と、を用いた。ただし、センサ４はこれに限らず、例えば配管３を流通する液体のｐＨを測定するｐＨセンサ等を含んでもよい。
【００３３】
電導度センサ４１は、血液浄化治療中に、透析液の濃度を監視するために用いられるものであり、供給側流路３１に設けられている。血液浄化治療中に、透析液の濃度が閾値を超える場合、警報を発し、表示部（不図示）等のユーザーインターフェースを介して、視覚的又は聴覚的に報知する。また、吸光度センサ４２は、血液浄化治療時には、血液浄化器からの排液の吸光度を測定し、排液に含まれる尿素窒素の量を検出し、透析の進行度を監視するために用いられるものであり、排出側流路３２に設けられている。つまり、本実施の形態では、従来から血液浄化治療に用いられている電導度センサ４１と吸光度センサ４２とを、洗浄消毒用の薬液の種類の判別の用途として転用している。これにより、洗浄消毒用の薬液の種類の判別用のセンサを別途設ける必要がなくなり、システム構成が簡易となり低コスト化が可能になる。
【００３４】
洗浄消毒時に用いられる代表的な薬液としては、酸洗浄液、過酢酸系消毒液、次亜系消毒液が挙げられる。このうち、酸洗浄液及び次亜系消毒液については、透析用水と比較して電導度が異なるため、電導度センサ４１により検出が可能である。また、上記薬液のうち、過酢酸系消毒液及び次亜系消毒液については、透析用水と比較して紫外光（２８０ｎｍ帯の紫外光）の吸光度が異なるため、吸光度センサ４２により検出が可能である。このように、本実施の形態では、２つのセンサ４を用いて、２種類以上（ここでは３種類）の薬液を検出可能に構成されている。
【００３５】
電導度センサ４１で検出される電導度、及び吸光度センサ４２で検出される吸光度は、配管３内に流通されている薬液の濃度に依存するため、電導度や吸光度を検出することにより、薬液の濃度も検出することができる。つまり、本実施の形態では、センサ４は、配管３内に流通されている薬液の濃度を検出可能に構成されている。
【００３６】
薬液識別部８１は、制御装置８に搭載されており、ＣＰＵ等の演算素子、メモリ等の記憶装置、ソフトウェア、インターフェイス等を適宜組み合わせて実現される。薬液識別部８１は、複数のセンサ４の検出結果を基に、少なくともセンサ４の個数以上の種類の薬液を識別可能に構成されている。本実施の形態では、薬液識別部８１は、複数のセンサ４の各検出結果の組み合わせに基づき、複数のセンサ４の個数より多い種類の薬液を識別可能に構成されている。
【００３７】
より具体的には、薬液識別部８１は、薬液の種類毎に設定された電導度センサ４１の検出値用の閾値（基準値範囲）、及び吸光度センサ４２の検出値用の閾値（基準値範囲）と、電導度センサ４１及び吸光度センサ４２の検出値とを比較することで、薬液の種類を識別する。例えば、電導度センサ４１及び吸光度センサ４２の検出値が、それぞれ酸洗浄液用の基準値範囲内にあるとき、薬液が酸洗浄液であると識別される。なお、これに限らず、薬液識別部８１は、電導度センサ４１と吸光度センサ４２の検出結果を基に、透析用水の測定結果と比較して、電導度センサ４１の検出値のみが変化する場合（変化量が所定の閾値以上となった場合）には薬液が酸洗浄液であると識別し、吸光度センサ４２の検出値のみが変化する場合（変化量が所定の閾値以上となった場合）には薬液が過酢酸系消毒液であると識別し、電導度センサ４１と吸光度センサ４２の両方の検出値が変化する場合（変化量が所定の閾値以上となった場合）には薬液が次亜系消毒液であると識別してもよい。
【００３８】
本実施の形態では、制御部８は、透析液供給装置１１と通信を行うことによって、透析液供給装置１１から洗浄消毒処理で使用される薬液を示す情報を取得するように構成されている。そして、薬液識別部８１は、取得した薬液を示す情報に基づき薬液を特定し、複数のセンサ４のうち、特定した薬液に応じたセンサを選択するように構成されている。
【００３９】
このように、本実施の形態では、薬液識別部８１は、洗浄消毒において使用されるべき薬液の種類に応じて、複数のセンサ４の全部又は一部を選択する。また、薬液識別部８１は、選択した全部又は一部のセンサ４の検出結果に基づき、現在使用されている薬液が当該洗浄消毒において使用されるべき薬液であるか否かを識別するように構成されている。上述の基準値範囲は、薬液の種類を識別可能な範囲で設定されているため、薬液の濃度が所定の基準値範囲内であるか否かを判定することによって、薬液の濃度と共に薬液の種類が適正であるか否かを判定することが可能である。これにより、ユーザーが、供給すべき薬液の種類を取り違え、制御上、管理されている薬液とは異なる種類の薬液が透析液供給装置１１から送液される場合であっても、不適切な種類の薬液で洗浄消毒を行うことを回避可能となる。
【００４０】
また、血液浄化装置１は、内部の配管３内に洗浄消毒用の薬液を流通させ、配管３の洗浄消毒処理を行う洗浄消毒制御部８２を備えている。洗浄消毒制御部８２は、透析液供給装置１１からの指示に従い、洗浄消毒処理を実行する。洗浄消毒制御部８２は、制御装置８に搭載されており、ＣＰＵ等の演算素子、メモリ等の記憶装置、ソフトウェア、インターフェイス等を適宜組み合わせて実現される。洗浄消毒制御部８２は、薬液置換検出部８２１と、薬液流量制御部８２２と、を有している。
【００４１】
薬液置換検出部８２１は、少なくとも１つのセンサ４の検出結果を基に、配管３の消毒・洗浄時に、配管３内に洗浄消毒用の薬液が満たされたこと（他の液体から薬液に置換されたこと）を検出するように構成されている。薬液置換検出部８２１は、薬液識別部８１で識別した薬液に応じたセンサ４の検出結果を用い、当該センサ４の検出値と、識別した薬液に応じた閾値とを比較することで、当該センサ４を設けた位置において配管３内に薬液が流通されたことを検知する。換言すれば、薬液置換検出部８２１は、センサ４で検出された薬液の濃度が所定の基準値以上となったとき、当該センサ４を設けた位置において配管３内に薬液が流通されたことを検知する。
【００４２】
例えば、薬液識別部８１により使用されている薬液が酸洗浄液と識別された場合、薬液置換検出部８２１は、電導度センサ４１の検出値と、予め設定された酸洗浄液用の閾値とを比較して、電導度センサ４１を設けた位置において配管３内に薬液が流通されたことを検知する。なお、次亜系消毒液については、電導度センサ４１と吸光度センサ４２の一方のみを用いて薬液の流通を検知してもよいし、両方のセンサ４１，４２を用いて薬液の流通を検知してもよい。
【００４３】
洗浄消毒時には、センサ４の下流側まで全ての配管３が薬液で満たされる必要があるため、薬液置換検出部８２１は、薬液の流通を検知した後、当該薬液の流通の検知に用いたセンサ４よりも下流の配管３の配管容量に応じて予め設定された遅延時間が経過したとき、配管３内に洗浄消毒用の薬液が満たされたことを検出する。例えば、電導度センサ４１が薬液を検知する場合、吸光度センサ４２より薬液の送液方向上流側に配置されるため、遅延時間が長く設定される。
【００４４】
このように、使用する薬液によって、薬液の通液を検知する際の閾値（濃度の基準値）や、遅延時間の長さが異なっている。薬液識別部８１を備えることにより、例えば意図したものと異なる薬液を使用する等のヒューマンエラーがあった場合でも、実際に使用している薬液の種類に応じた適切な洗浄消毒処理が可能になる。なお、薬液識別部８１は、透析液供給装置１１から通知された薬液と、識別した薬液とが異なる場合には、透析液供給装置１１にアラート信号を送信する等して、警報を発するように構成されてもよい。
【００４５】
薬液流量制御部８２２は、薬液置換検出部８２１により、配管３内に薬液が満たされたことが検出されたとき、当該検出前と比較して薬液の流量を低下させる処理を行う。本実施の形態では、薬液流量制御部８２２は、複式ポンプ５を制御することにより、薬液の流量を制御するように構成されている。
【００４６】
本発明者らが検討したところ、洗浄消毒の効果は、配管３に薬液が接液している時間が支配的であり、薬液の流量を低下させても十分な洗浄消毒の効果が得られることが見出された。ただし、洗浄消毒処理を短時間で効率よく行うためには、配管３内に薬液を満たすまでは薬液の流量をできるだけ大きくすることが望ましいといえる。そこで、本実施の形態では、配管３内に薬液が満たされた後に薬液の流量を低下させ、十分な洗浄消毒の効果を維持しつつも、薬液の使用量を低減するようにした。
【００４７】
洗浄消毒処理にかかる時間を短くするために、配管３内に薬液が満たされる前の薬液の流量は、なるべく大きいことが望まれる。また、薬液の使用量を低減するために、配管３内に薬液が満たされた後の薬液の流量は、なるべく小さいことが望まれる。そのため、配管３内に薬液が満たされた後の薬液の流量は、配管３内に薬液が満たされる前の薬液の流量の１／２以下とすることが望ましく、１／４以下とすることがより望ましい。ただし、配管３内に薬液が満たされた後の薬液の流量を低下させ過ぎると、汚れ等が流されにくくなり洗浄消毒の効果が低下するおそれがある。そのため、配管３内に薬液が満たされた後の薬液の流量は、配管容量等を考慮し、洗浄消毒の効果を維持できる程度とするとよい。
【００４８】
洗浄消毒制御部８２は、配管３内に薬液が満たされたことを検出してから所定の消毒・洗浄時間を経過したとき、当該薬液による消毒・洗浄が終了したと判断し、複式ポンプ５を停止して次工程（後述する後洗浄等）に移行するように構成されている。なお、消毒・洗浄時間を経過した後、複式ポンプ５を停止して洗浄消毒液を配管３内に封入した状態で洗浄消毒処理を終了してもよい。消毒・洗浄時間については、使用する薬液毎に設定されてもよい。なお、給液弁７等の電磁弁を十分に洗浄消毒するため、洗浄消毒制御部８２は、配管３内に薬液が満たされたことを検出してから所定の消毒・洗浄時間を経過するまでの間に、電磁弁を所定の時間間隔で開閉制御するとよい。
【００４９】
なお、配管３内に薬液が満たされたことを検出してから消毒・洗浄時間を経過する前に、何らかの理由（例えば薬液が不足した場合等）で薬液の濃度が低下すると、十分な洗浄消毒の効果が得られない場合がある。そこで、配管３内に薬液が満たされたことを検出してから消毒・洗浄時間を経過する前に、薬液置換検出部８２１により薬液の濃度が基準値を下回った（センサ４の検出値が閾値を下回った）ことが検出されたとき、薬液流量制御部８２２により薬液の流量を上昇させ、改めて薬液置換検出部８２１により配管３内に薬液が満たされたかを検出するように洗浄消毒制御部８２を構成してもよい。これにより、洗浄消毒中に何らかの理由で薬液の濃度が低下した場合であっても、洗浄消毒が不足したまま処理が終了してしまわないようにすることができる。また、洗浄消毒制御部８２は、薬液の濃度が低下を検出した場合には、透析液供給装置１１にアラート信号を送信する等して、警報を発するように構成されてもよい。
【００５０】
ここで、洗浄消毒処理の手順について図３（ａ），（ｂ）を用いて説明する。洗浄消毒処理を開始する際には、血液浄化治療用の透析液が配管３内に残留している。そこで、図３（ａ）に示すように、洗浄消毒処理では、まず、ステップＳ１にて、配管３内の透析液を透析用水に置換する前洗浄が行われる。その後、ステップＳ２にて、洗浄消毒用の薬液を用いた洗浄消毒が行われる。その後、ステップＳ３にて、配管３内の薬液を透析用水に置換する後洗浄が行われる。なお、上述のように、ステップＳ３の後洗浄を行わずに薬液を配管３に封入したまま洗浄消毒処理を終了してもよい。この場合、次回の血液浄化治療を行う前に、後洗浄が行われることになる。
【００５１】
上述のように、センサ４として用いている電導度センサ４１は、透析液の濃度を検出でき、また吸光度センサ４２は排液内の尿素窒素の濃度を検出することができる。よって、電導度センサ４１や吸光度センサ４２の検出値を監視することで、前洗浄時に、配管３内の透析液（排液を含む）が透析用水に置換されたかを検知することが可能である。そこで、本実施の形態では、洗浄消毒制御部８２は、ステップＳ１の前洗浄時に、少なくとも１つのセンサ４の検出結果を基に、配管３内の透析液が透析用水に置換されたかを検出可能に構成されている。洗浄消毒制御部８２は、センサ４の検出結果を基に、配管３内が透析用水に置換されたかを判断し、配管３内が透析用水に置換されたと判断されたときに、ステップＳ２の洗浄消毒へと移行するように構成される。配管３内に透析液が残った状態で薬液を導入すると、意図した洗浄消毒の効果が得られない場合があるが、本実施の形態によればそのような不具合を抑制できる。
【００５２】
また、センサ４により洗浄消毒用の薬液の濃度を検知できるため、センサ４の検出値を監視することで、後洗浄時に、配管３内の薬液が透析用水に置換されたかを検知することが可能である。そこで、本実施の形態では、洗浄消毒制御部８２は、ステップＳ３の後洗浄時に、少なくとも１つのセンサ４の検出結果を基に、配管３内の薬液が透析用水に置換されたかを検出可能に構成されている。洗浄消毒制御部８２は、センサ４の検出結果を基に、配管３内が透析用水に置換されたかを判断し、配管３内が透析用水に置換されたと判断されたときに、洗浄消毒処理を終了するように構成される。配管３内に薬液が残った状態で処理を終了すると、次の治療時に患者の血液に薬液が接液することとなり血液浄化治療に悪影響を及ぼすおそれがあるが、本実施の形態によればそのような不具合を抑制できる。
【００５３】
図３（ｂ）に示すように、ステップＳ２の洗浄消毒では、まず、ステップＳ２０にて、制御部８は、透析液供給装置１１と通信を行うことによって、透析液供給装置１１から洗浄消毒処理で使用される薬液を示す情報を取得する。続いて、薬液識別部８１は、薬液を示す情報に基づき薬液を特定し、複数のセンサ４のうち、特定した薬液に応じたセンサを選択する。
【００５４】
その後、ステップＳ２１にて、薬液識別部８１は、ステップＳ２０で選択したセンサ４を用いて、薬液の濃度が所定の基準値範囲内であるか否かを判定する。また、薬液識別部８１は、ステップＳ２１の判定を通じて、薬液の種類を識別している。つまり、基準値範囲が、薬液の種類を識別可能な範囲で設定されているため、薬液の濃度が所定の基準値範囲内であるか否かを判定することによって、薬液の濃度と共に薬液の種類が適正であるか否かを判定可能である。更に、ステップＳ２０において、薬液の種類を示す情報を取得し、薬液の種類を特定しているが、ユーザーが、供給すべき薬液の種類を取り違え、制御上、管理されている薬液とは異なる種類の薬液が透析液供給装置１１から送液される場合であっても、ステップＳ２１において、薬液の種類を識別しているため、不適切な種類の薬液で洗浄消毒を行うことを回避可能である。
【００５５】
ステップＳ２１でＮＯと判定された場合、ステップＳ２１に戻り判定を繰り返す。ステップＳ２１でＹＥＳと判定された場合、ステップＳ２２にて、薬液置換検出部８２１が、配管３内に薬液が満たされたかを検出する。具体的には、薬液置換検出部８２１は、ステップＳ２１でＹＥＳと判定されてから、所定の遅延時間が経過したときに、配管３内に薬液が満たされとことを検出する。ステップＳ２２でＮＯと判定された場合、ステップＳ２１に戻る。
【００５６】
ステップＳ２２でＹＥＳと判定された場合、ステップＳ２３にて、薬液流量制御部８２２が、複式ポンプ５を制御して薬液の流量を低下させる。その後、ステップＳ２４にて、センサ４の検出結果を基に、薬液の濃度が基準値範囲内であるかを判定する。ステップＳ２４でＮＯと判定された場合、ステップＳ２５にて、薬液流量制御部８２２が、複式ポンプ５を制御して薬液の流量を上昇させた後、ステップＳ２１に戻る。なお、薬液の濃度を外部装置で監視しており薬液濃度の低下のおそれがない場合等は、ステップＳ２４とステップＳ２５については省略可能である。
【００５７】
ステップＳ２４でＹＥＳと判定された場合、ステップＳ２６にて、洗浄消毒制御部８２は、ステップＳ２２で配管３内に薬液が満たされたと判定されてから、予め設定された洗浄消毒時間が経過したかを判定する。ステップＳ２６でＮＯと判定された場合、ステップＳ２４に戻る。
【００５８】
ステップＳ２６でＹＥＳと判定された場合、ステップＳ２７にて、洗浄消毒制御部８２は、複式ポンプ５を停止して薬液の流通を停止する。その後、リターンする（図３（ａ）のステップＳ３に進む）。
【００５９】
（変形例）
本実施の形態では、透析液供給装置１１から予め使用する薬液を示す情報を取得する場合について説明したが、この処理（上述のステップＳ２０の処理）を省略し、複数のセンサ４で薬液を識別するようにしてもよい。この場合、複数のセンサ４のうち使用するセンサを選択し、このセンサのみの検出結果に基づき薬液を識別するのではなく、複数のセンサ４を全て用い、複数のセンサ４の検出結果に基づき薬液を識別するとよい。
【００６０】
本実施の形態では、外部の透析液供給装置１１から透析液や洗浄消毒用の薬液が供給される血液浄化装置１について説明したが、血液浄化装置１は、透析液や洗浄消毒用の薬液を調整する機構を備えたものであってもよい。また、血液浄化装置１は、洗浄消毒用の薬液を供給するタンク等を内蔵したものであってもよいし、別体に設けられたタンク等から洗浄消毒用の薬液が供給されるものであってもよい。
【００６１】
また、図３（ａ）では説明を省略したが、例えば、酸洗浄液を用いた洗浄・殺菌を行った後に、次亜系消毒液を用いた洗浄・殺菌を行うなど、異なる薬液を用いた洗浄・殺菌を連続して行うことも当然に可能である。この場合、任意の薬液を用いた洗浄・殺菌が終了した後、配管３内を透析用水に置換する洗浄ステップを行い、その後他の薬液を用いた洗浄・殺菌を実施することで、薬液が混ざらないようにすることが望ましい。これは、異なる薬液が混ざると、薬液の組み合わせによっては塩素ガス等の有毒物質が生じるおそれがあるためである。このような場合、洗浄消毒制御部８２は、洗浄ステップ時に、センサ４の検出結果を基に、配管３内が透析用水に置換されたかを判断し、配管３内が透析用水に置換されたと判断されたときに、次の薬液を用いた洗浄消毒に移行するように構成されるとよい。これにより、薬液の混合をより抑制することが可能になる。
【００６２】
さらに、本実施の形態では、センサ４の検出結果を基に、配管３内に薬液が満たされたことを検出したが、これに限らず、薬液の供給開始からの時間により、配管３内に薬液が満たされたことを判定することもできる。ただし、この場合は薬液を物理的に検知していないため、確実性が若干劣るといえる。つまり、本実施の形態のように、センサ４の検出結果を基に、配管３内に薬液が満たされたかを判定することで、配管３内に薬液が満たされたことをより精度よく検出することが可能である。
【００６３】
（実施の形態の作用及び効果）
以上説明したように、本実施の形態に係る血液浄化装置１では、検出方式が異なる複数のセンサ４を用いて、少なくともセンサ４の個数以上の種類の薬液を識別可能に構成されている。
【００６４】
例えば、単一のセンサを用いた場合、洗浄消毒処理に用いられる代表的な薬液を判別することは困難である。例えば、分光光度計等の非常に高価で大がかりな設備を用いれば、１つの設備で薬液の判別を行うことは可能ではあるが、現実的ではない。本実施の形態のように、検出方式が異なる複数のセンサ４を用いることで、比較的安価で、かつ従来から血液浄化治療の監視用に用いられているセンサ４を用いて、洗浄消毒処理に用いられる代表的な薬液を判別することが可能になる。つまり、本実施の形態によれば、安価で簡単なシステム構成で多くの種類の洗浄消毒用の薬液を識別でき、薬液の種類に応じた適切な洗浄消毒処理を行うことが可能になる。
【００６５】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００６６】
［１］血液浄化器を介して血液浄化治療を行う血液浄化装置（１）であって、配管（３）と、前記配管（３）に設けられると共に、検出方式が異なる複数のセンサ（４）と、前記複数のセンサ（４）を用いて、前記配管（３）に流通されている洗浄消毒用の薬液の種類を識別する薬液識別部（８１）と、を備え、前記薬液識別部（８１）は、前記複数のセンサ（４）を用いて、少なくとも前記複数のセンサ（４）の個数以上の種類の前記薬液を識別可能に構成されている、血液浄化装置（１）。
【００６７】
［２］前記薬液識別部（８１）は、洗浄消毒において使用されるべき薬液の種類に応じて、前記複数のセンサ（４）の全部又は一部を選択し、選択した全部又は一部のセンサ（４）の検出結果に基づき、当該洗浄消毒において使用されるべき薬液であるか否かを識別する、［１］に記載の血液浄化装置。
【００６８】
［３］前記薬液識別部（８１）は、前記複数のセンサ（４）の各検出結果の組み合わせに基づき、前記複数のセンサ（４）の個数より多い種類の前記薬液を識別可能に構成されている、［１］または［２］に記載の血液浄化装置（１）。
【００６９】
［４］前記配管（３）の洗浄消毒時に、前記複数のセンサ（４）のうち少なくとも１つのセンサの検出結果を基に、前記配管（３）内に洗浄消毒用の前記薬液が満たされたかを検出する洗浄消毒制御部（８２）を備えた、［１］乃至［３］の何れか１項に記載の血液浄化装置（１）。
【００７０】
［５］前記洗浄消毒制御部（８２）は、前記複数のセンサ（４）のうち少なくとも１つのセンサの検出結果を基に、前記配管（３）内の透析液または前記薬液が透析用水に置換されたかを検出可能に構成されている、［４］に記載の血液浄化装置（１）。
【００７１】
［６］前記複数のセンサ（４）は、前記配管（３）を流通する液体の電導度を測定する電導度センサ（４１）と、前記配管（３）を流通する液体による紫外光の吸収度を測定する吸光度センサ（４２）と、を含む、［１］乃至［５］の何れか１項に記載の血液浄化装置（１）。
【００７２】
［７］前記薬液識別部（８１）は、前記薬液の種類毎に設定された前記電導度センサ（４１）の検出値用の閾値、及び前記吸光度センサ（４２）の検出値用の閾値と、前記電導度センサ（４１）及び前記吸光度センサ（４２）の検出値とを比較することで、前記薬液の種類を識別する、［６］に記載の血液浄化装置（１）。
【００７３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７４】
また、本発明は、その趣旨を逸脱しない範囲で適宜変形して実施することが可能である。例えば、上記実施の形態では、薬液流量制御部８２２を備える場合について説明したが、薬液流量制御部８２２は省略可能である。
【符号の説明】
【００７５】
１…血液浄化装置
３…配管
４…センサ
４１…電導度センサ
４２…吸光度センサ
５…複式ポンプ
８…制御装置
８１…薬液識別部
８２…洗浄消毒制御部
８２１…薬液置換検出部
８２２…薬液流量制御部
【図１】
2020192289.tif 000003
【図２】
2020192289.tif 000004
【図３】
2020192289.tif 000005